(57)【要約】【課題】コスト面や生産性に優れ、かつ、真贋判定の際に、真贋判定用符号を顕在化するための特別な装置を必要とせずに視認によって容易に確認を行う。【解決手段】表面シート１１０と光透過性を具備する裏面シート１２０とが粘着剤１４０によって剥離不可能に貼着され、裏面シート１２０の表面シート１１０との貼着面には、透かし情報１５０が黒色で印刷され、表面シート１１０の裏面シート１２０との貼着面には、周縁部を除く全面に、白色顔料を含むインクが印刷されてなる白色遮光層１３０が設けられている。【選択図】図１
2008055683.tif 000002
【特許請求の範囲】
【請求項１】
光透過性を具備する第１のシートと、
前記第１のシートに剥離不可能に貼着された第２のシートと、
前記第１のシートと前記第２のシートとの間に付与された透かし情報と、
前記透かし情報とは異なる色を具備し、前記透かし情報よりも前記第２のシート側にて前記透かし情報と対向する領域に設けられた遮光構造とを有する偽造防止媒体。
【発明の詳細な説明】
【技術分野】
【０００１】
本発明は、偽造防止シート等の偽造防止媒体に関し、特に、透かし情報を用いた偽造防止構造に関する。
【背景技術】
【０００２】
従来より、プリペイドカードや各種入場券、商品券や株券等の有価証券においては、広く流通しており比較的容易に換金可能である等の理由から、偽造犯罪が頻発している。特に、近年ではカラーコピー機等の複写機の性能向上と普及に伴い、簡単には真正品と見分けられない偽造品が比較的容易に製造可能になってきており、偽造に対する対策が求められている。また、上述したような有価証券に限らず、紙幣においても偽造に対する対策が求められている。
【０００３】
このような偽造に対しては、ホログラフや光輝性ラベル等を用いたり、特殊な蛍光インキを用いて真贋判定用符号を形成し、通常状態では視認や光学的機械読取が不可能であるものの、所定の条件を付与すると、これを可能とさせる真贋判定手段を用いたりすることが行われている。
【０００４】
ところで、本出願人は、隠蔽情報が付与される紙片上に、白色顔料を含むインキを印刷してなる白色遮光層を設けた隠蔽葉書を出願している（特許文献１参照。）。この隠蔽葉書は、隠蔽情報が付与される隠蔽情報表示部に対応する位置に白色遮光層を設けることにより、太陽や強い光の光源に翳された場合であっても、隠蔽情報表示部に付与された隠蔽情報が透けて見えることを防止できるものである。
【特許文献１】特開２００４−２０９８１７号公報
【発明の開示】
【発明が解決しようとする課題】
【０００５】
しかしながら、上述したホログラフや光輝性ラベルを用いたものにおいては、ホログラムや光輝性ラベル自体の価格が高いために製造コストが高くなり、さらに、ホログラムや光輝性ラベルは、その表面上に傷が付くと機能に悪影響を及ぼすため、その貼付時の取り扱いに注意を要し、その結果、製造工程が非常に複雑になってしまう等という問題点がある。
【０００６】
また、特殊な蛍光インキを用いたものにおいては、真贋判定の際、真贋判定用符号を顕在化するためのブラックライト照射装置等を必要とするため、例えば、入場券のように大量のものを即座に真贋判定しなければならない場合等には極めて利便性に劣るという問題点がある。
【０００７】
ここで、上述した白色遮光層を用いた隠蔽葉書においては、紙片上に白色顔料を含むインキを印刷してなる白色遮光層を設けるだけであるため、本出願人は、この構成を用いることにより、コスト面や生産性に優れ、かつ、真贋判定の際に、真贋判定用符号を顕在化するための特別な装置を必要とせずに視認によって容易に確認が行える偽造防止媒体を実現すべく鋭意研究を行った。
【０００８】
本発明は、コスト面や生産性に優れ、かつ、真贋判定の際に、真贋判定用符号を顕在化するための特別な装置を必要とせずに視認によって容易に確認が行える偽造防止媒体を提供することを目的とする。
【課題を解決するための手段】
【０００９】
上記目的を達成するために本発明は、
光透過性を具備する第１のシートと、
前記第１のシートに剥離不可能に貼着された第２のシートと、
前記第１のシートと前記第２のシートとの間に付与された透かし情報と、
前記透かし情報とは異なる色を具備し、前記透かし情報よりも前記第２のシート側にて前記透かし情報と対向する領域に設けられた遮光構造とを有する。
【００１０】
上記のように構成された本発明においては、第２のシート側から観察した場合、第１のシートと第２のシートとの間に付与された透かし情報は、この透かし情報よりも第２のシート側にて透かし情報と対向する領域に設けられた遮光構造によって第２のシート側からの光が遮られることにより視認不可能となる。一方、第１のシート側から観察した場合は、第１のシートと第２のシートとの間に付与された透かし情報は、光透過性を具備する第１のシートを介して視認可能となる。
【００１１】
このように、第１のシートと第２のシートとの間に付与された透かし情報が、第１のシートを介してのみ視認可能となる。
【発明の効果】
【００１２】
以上説明したように本発明においては、互いに剥離不可能に貼着された第１のシートと第２のシートとの間に透かし情報を付与しておき、第１のシートを、光透過性を具備するものとするとともに、透かし情報よりも第２のシート側にて透かし情報と対向する領域に遮光構造を有する構成としたため、第１のシート側からは、第１のシートを介して透かし情報を視認可能とし、また、第２のシート側からは遮光構造によって透かし情報を視認不可能とすることができ、それにより、コスト面や生産性に優れ、かつ、真贋判定の際に、真贋判定用符号を顕在化するための特別な装置を必要とせずに視認によって容易に確認を行うことができる。
【発明を実施するための最良の形態】
【００１３】
以下に、本発明の実施の形態について図面を参照して説明する。
【００１４】
（第１の実施の形態）
図１は、本発明の偽造防止媒体となる偽造防止シートの第１の実施の形態を示す図であり、（ａ）は表面から見た図、（ｂ）は（ａ）に示したＡ−Ａ’断面図、（ｃ）は裏面から見た図である。なお、図１（ｂ）は、図１（ｃ）に示したＡ−Ａ’断面図でもある。
【００１５】
本形態は図１に示すように、第１のシートである裏面シート１２０と、第２のシートである表面シート１１０とが粘着剤１４０によって貼着されて構成されている。粘着剤１４０は、表面シート１１０や裏面シート１２０とを貼着した後にこれらを剥離しようとすると、表面シート１１０と裏面シート１２０において紙剥け等が生じる程度に粘着力が強いものであり、それにより、表面シート１１０と裏面シート１２０とが剥離不可能に貼着されている。
【００１６】
裏面シート１２０は、半透明や白色等の光透過性を有する材料からなり、表面シート１１０との貼着面には、透かし情報１５０が黒色で印刷されている。これにより、表面シート１１０と裏面シート１２０との間に透かし情報１５０が付与されている。
【００１７】
表面シート１１０は、その表面に証明書情報１１１が印刷されているとともに、裏面シート１２０との貼着面には、周縁部を除く全面に、白色顔料を含むインクが印刷されてなる遮光構造となる白色遮光層１３０が設けられている。白色遮光層１３０を構成するために用いるインキの白色顔料は二酸化チタン等からなり、それにより、白色遮光層１３０は、一方の面側からの光を遮る高い遮光性を有する。なお、白色顔料としては、天然品や合成品を用いることができる。例えば、上記二酸化チタン（アナターゼやルチル）、酸化亜鉛、硫化亜鉛、リトポン、鉛顔料（炭酸鉛、塩基性硫酸鉛、塩基性ケイ酸鉛、塩基性シリコ硫酸鉛、二塩基性亜リン酸鉛等）、酸化アンチモン、酸化ジルコニウム、ジルコン、カオリン、粘土、炭酸カルシウム、硫酸バリウム、ケイ酸塩（ステアタイト、アスベスチン等から得られるタルク等）、雲母、水和アルミナ、軽石、アスベスト、硫酸カルシウム、アルミノケイ酸ナトリウム、アルミノケイ酸ナトリウムカリウム等を挙げることができる。これらは二種以上混合して用いることもできる。また、白色遮光層１３０を得るためのインキの塗工量としては、例えば白色顔料に二酸化チタンを用いたものの場合、表面シート１１０の裏面シート１２０との貼着面全面に塗工したものと換算して約５ｇ／ｍ2程度を目安として塗工することが考えられる。
【００１８】
以下に、上記のように構成された偽造防止シート１００の使用方法について説明する。
【００１９】
図２は、図１に示した偽造防止シート１００を表面シート１１０側から観察した場合の作用を説明するための図であり、（ａ）は断面方向から見た図、（ｂ）は表面シート１１０側からの見え方を示す図である。また、図３は、図１に示した偽造防止シート１００を裏面シート１２０側から観察した場合の作用を説明するための図であり、（ａ）は断面方向から見た図、（ｂ）は裏面シート１２０側からの見え方を示す図である。
【００２０】
図１に示した偽造防止シート１００を表面シート１１０側から観察した場合は、図２（ａ）に示すように、観察点と透かし情報１５０との間に表面シート１１０と白色遮光層１３０とが介在する。ここで、白色遮光層１３０は一方の面側からの光を遮るものであるため、表面シート１１０側からの光がこの白色遮光層１３０によって遮られ、図２（ｂ）に示すように、透かし情報１５０は視認することができず、表面シート１１０に印刷された証明書情報１１１のみが視認されることになる。
【００２１】
一方、図１に示した偽造防止シート１００を裏面シート１２０側から観察した場合は、裏面シート１２０が光透過性を有するものであることから、図３（ａ）に示すように、裏面シート１２０側からの光が裏面シート１２０を透過して透かし情報１５０まで達する。そして、透かし情報１５０が裏面シート１２０に黒色で印刷され、かつ白色遮光層１３０が白色であることから、そのコントラストの差により、図３（ｂ）に示すように、裏面シート１２０の表面シート１１０との貼着面に印刷された透かし情報１５０が視認されることになる。
【００２２】
このように、図１に示した偽造防止シート１００においては、表面シート１１０側から観察された場合、裏面シート１２０の表面シート１１０との貼着面に印刷された透かし情報１５０が視認されず、裏面シート１２０側から観察された場合に、透かし情報１５０が視認されることになる。
【００２３】
ここで、裏面シート１２０は、上述したように半透明や白色等の光透過性を有する材料からなるものであるが、複写による偽造を防止するという観点から鑑みた場合、偽造防止シート１００を裏面シート１２０側から観察した際に、黒色で印刷された透かし情報１５０が薄くしか見えない程度の光透過性を有するものであることが好ましい。
【００２４】
このように本形態においては、裏面シート１２０を光透過性を有するものとすることにより、裏面シート１２０側からは裏面シート１２０を介して透かし情報１５０を視認可能とし、また、表面シート１１０の裏面シート１２０との貼着面に、白色顔料を含むインクが印刷されてなる白色遮光層１３０を設けることにより、表面シート１１０側からはこの白色遮光層１３０によって透かし情報１５０を視認不可能とすることができ、それにより、コスト面や生産性に優れ、かつ、真贋判定の際に、真贋判定用符号を顕在化するための特別な装置を必要とせずに視認によって容易に確認を行うことができる。
【００２５】
なお、本形態においては、表面シート１１０の裏面シート１２０との貼着面のうち、周縁部を除く全面に白色遮光層１３０が設けられているが、白色遮光層１３０は、少なくとも透かし情報１５０に対向する領域のみに設けられていればよい。
【００２６】
（第２の実施の形態）
図４は、本発明の偽造防止媒体となる偽造防止シートの第２の実施の形態を示す図であり、（ａ）は表面から見た図、（ｂ）は（ａ）に示したＡ−Ａ’断面図、（ｃ）は裏面から見た図である。
【００２７】
本形態は図４に示すように、第１のシートである裏面シート２２０と、第２のシートである表面シート２１０とが粘着剤２４０ａによって貼着されて構成されている。これら表面シート２１０及び裏面シート２２０は、ミシン目が形成されること等によって設けられた折り部２０３を介して第１紙片部２０１と第２紙片部２０２とが連接した形態となっており、折り部２０３にて折り畳み可能となっている。また、粘着剤２４０ａは、表面シート２１０と裏面シート２２０とを貼着した後にこれらを剥離しようとすると、表面シート２１０や裏面シート２２０において紙剥け等が生じる程度に粘着力が強いものであり、それにより、表面シート２１０と裏面シート２２０とが剥離不可能に貼着されている。
【００２８】
裏面シート２２０は、半透明や白色の光透過性を有する材料からなり、表面シート２１０との貼着面には、透かし情報となる証明書情報２５０が黒色で印刷されている。これにより、表面シート２１０と裏面シート２２０との間に証明書情報２５０が付与されている。また、証明書情報２５０が印刷された面とは反対側の面には、その全面に、圧力により自己のみが貼着可能で貼着後の剥離が可能な自己貼着性を有する粘着剤２４０ｂが塗布されており、折り部２０３を介して折り畳んで加圧することにより裏面シート２２０の第１紙片部２０１と第２紙片部２０２とが互いに剥離可能に貼着されることになる。
【００２９】
表面シート２１０は、折り部２０３にて折り畳まれた場合に第１紙片部２０１の外側となる面に表題２１１が印刷されているとともに、裏面シート２２０との貼着面には、周縁部を除く全面に、白色顔料を含むインクが印刷されてなる遮光構造となる白色遮光層２３０が設けられている。白色遮光層２３０を構成するために用いるインキの白色顔料としては、第１の実施の形態にて示したものと同様のものが用いられる。
【００３０】
以下に、上記のように構成された偽造防止シート２００の使用方法について説明する。
【００３１】
図４に示した偽造防止シート２００は、まず、裏面シート２２０が内側となるように折り部２０３にて折り畳まれ、加圧されることにより裏面シート２２０の第１紙片部２０１と第２紙片部２０２とが互いに貼着された状態で配布される。
【００３２】
図５は、図４に示した偽造防止シート２００が折り畳まれた状態における作用を説明するための図であり、（ａ）は断面方向から見た図、（ｂ）は第１紙片部２０１側からの見え方を示す図、（ｃ）は第２紙片部２０２側からの見え方を示す図である。
【００３３】
図４に示した偽造防止シート２００を折り部２０３にて折り畳んだ状態で観察した場合は、図５（ａ）に示すように、第１紙片部２０１側から見た場合も第２紙片部２０２側から見た場合も、観察点と証明書情報２５０との間に表面シート２１０と白色遮光層２３０とが介在する。ここで、白色遮光層２３０は一方の面側からの光を遮るものであるため、外部からの光がこの白色遮光層２３０によって遮られ、透かして見られた場合であっても、図５（ｂ），（ｃ）に示すように、証明書情報２５０は視認することができず、第１紙片部２０１側においては、表面シート２１０に印刷された表題２１１のみが視認されることになる。
【００３４】
このように、図４に示した偽造防止シート２００が折り部２０３にて折り畳まれた状態では、偽造防止シート２００が透かされた場合であっても、裏面シート２２０に印刷された証明書情報２５０が見られてしまうことがなく、証明書情報２５０を隠蔽した状態で偽造防止シート２００を配布することができる。
【００３５】
その後、裏面シート２２０の第１紙片部２０１と第２紙片部２０２とが剥離されて偽造防止シート２００が見開かれる。裏面シート２２０の第１紙片部２０１と第２紙片部２０２とを貼着していた粘着剤２４０ｂは、貼着後の剥離が可能なものであるため、裏面シート２２０の第１紙片部２０１と第２紙片部２０２とを剥離することができる。
【００３６】
図６は、図４に示した偽造防止シート２００が見開かれた状態にて表面シート２１０側から観察した場合の作用を説明するための図であり、（ａ）は断面方向から見た図、（ｂ）は表面シート２１０側からの見え方を示す図である。また、図７は、図４に示した偽造防止シート２００が見開かれた状態にて裏面シート２２０側から観察した場合の作用を説明するための図であり、（ａ）は断面方向から見た図、（ｂ）は裏面シート２２０側からの見え方を示す図である。
【００３７】
図４に示した偽造防止シート２００が見開かれた状態にて表面シート２１０側から観察した場合は、図６（ａ）に示すように、観察点と証明書情報２５０との間に表面シート２１０と白色遮光層２３０とが介在する。ここで、白色遮光層２３０は一方の面側からの光を遮るものであるため、表面シート２１０側からの光がこの白色遮光層２３０によって遮られ、図６（ｂ）に示すように、証明書情報２５０は視認することができず、表面シート２１０に印刷された表題２１１のみが視認されることになる。
【００３８】
一方、図４に示した偽造防止シート２００が見開かれた状態にて裏面シート２２０側から観察した場合は、裏面シート２２０が光透過性を有するものであることから、図７（ａ）に示すように、裏面シート２２０側からの光が裏面シート２２０を透過して証明書情報２５０まで達する。そして、透かし情報２５０が裏面シート２２０に黒色で印刷され、かつ白色遮光層２３０が白色であることから、そのコントラストの差により、図７（ｂ）に示すように、裏面シート２２０の表面シート２１０との貼着面に印刷された証明書情報２５０が視認されることになる。
【００３９】
このように、図４に示した偽造防止シート２００においては、見開かれた状態にて表面シート２１０側から観察された場合、裏面シート２２０の表面シート２１０との貼着面に印刷された証明書情報２５０が視認されず、見開かれた状態にて裏面シート２２０側から観察された場合に、証明書情報２５０が視認されることになる。
【００４０】
ここで、裏面シート２２０は、上述したように半透明や白色等の光透過性を有する材料からなるものであるが、複写による偽造を防止するという観点から鑑みた場合、偽造防止シート２００が見開かれた状態にて裏面シート２２０側から観察した際に、黒色で印刷された証明情報２５０が薄くしか見えない程度の光透過性を有するものであることが好ましい。
【００４１】
このように本形態においては、裏面シート２２０を光透過性を有するものとすることにより、見開かれた状態において裏面シート２２０側からは裏面シート２２０を介して証明書情報２５０を視認可能とし、また、表面シート２１０の裏面シート２２０との貼着面に、白色顔料を含むインクが印刷されてなる白色遮光層２３０を設けることにより、見開かれた状態において表面シート２１０側からはこの白色遮光層２３０によって証明書情報２５０を視認不可能とすることができ、それにより、コスト面や生産性に優れ、かつ、真贋判定の際に、真贋判定用符号を顕在化するための特別な装置を必要とせずに視認によって容易に確認を行うことができる。
【００４２】
本形態にて示した偽造防止シート２００は、裏面シート２２０の表面シート２１０との貼着面、あるいは粘着剤２４０ａによって形成される粘着剤層の表面に証明書情報２５０等の隠蔽情報が付与され、この隠蔽情報が隠蔽側からしか見れない透かし証明書付きの隠蔽送付体等に使用することができる。
【００４３】
なお、本形態においては、表面シート２１０の裏面シート２２０との貼着面のうち、周縁部を除く全面に白色遮光層２３０が設けられているが、白色遮光層２３０は、少なくとも証明書情報２５０に対向する領域のみに設けられていればよい。
【００４４】
また、本形態においては、裏面シート２２０を半透明や白色等の光透過性を有する材料からなるものとしたが、裏面シート２２０を透明な材料からなるものとすることも考えられる。
【００４５】
また、上述した２つの実施の形態においては、表面シート１１０，２１０の裏面シート１２０，２２０との貼着面に遮光構造となる白色遮光層１３０，２３０が設けられているが、表面シート１１０，２１０の裏面シート１２０，２２０との貼着面とは反対側の面に白色遮光層１３０，２３０のような遮光構造を設けたり、表面シート１１０，２１０自体を遮光性を有する材料からなるものとして遮光構造としたりしてもよい。
【００４６】
（第３の実施の形態）
上述した２つの実施の形態においては、表面シート１１０，２１０に白色顔料を含むインクを印刷することにより遮光構造となる白色遮光層１３０，２３０を設けているが、白色の材料からなるシート基材を用いて遮光構造を設けることもできる。
【００４７】
図８は、本発明の偽造防止媒体となる偽造防止シートの第３の実施の形態を示す図であり、（ａ）は表面から見た図、（ｂ）は（ａ）に示したＡ−Ａ’断面図、（ｃ）は裏面から見た図である。なお、図８（ｂ）は、図８（ｃ）に示したＡ−Ａ’断面図でもある。
【００４８】
本形態は図８に示すように、半透明や白色等の光透過性を有する材料からなる第１のシートである裏面シート３２０と、表面に証明書情報３１１が印刷された第２のシートである表面シート３１０とが粘着剤３４０ａ，３４０ｂ及び遮光構造となる中間シート３３０を介して貼着されて構成されている。表面シート３１０は粘着剤３４０ａによって中間シート３３０と貼着され、裏面シート３２０は粘着剤３４０ｂによって中間シート３３０と貼着されている。これらの粘着剤３４０ａ，３４０ｂは、表面シート３１０及び裏面シート３２０と中間シート３３０とを貼着した後にこれらを剥離しようとすると、表面シート３１０、裏面シート３２０あるいは中間シート３３０において紙剥け等が生じる程度に粘着力が強いものであり、それにより、表面シート３１０と裏面シート３２０とが中間シート３３０を介して剥離不可能に貼着されている。
【００４９】
中間シート３３０は、白色の遮光性を有する材料からなり、裏面シート３２０との貼着面に透かし情報３５０が黒色で印刷されている。これにより、表面シート３１０と裏面シート３２０との間に透かし情報３５０が付与されている。
【００５０】
上記のように構成された偽造防止シート３００においては、表面シート３１０側から観察した場合は、観察点と透かし情報３５０との間に表面シート３１０及び中間シート３３０が介在し、表面シート３１０側からの光がこの中間シート３３０によって遮られるため、透かし情報３５０は視認できずに表面シート３１０に印刷された証明書情報３１１のみが視認されることになり、また、裏面シート３２０側から観察した場合は、裏面シート３２０が光透過性を有するものであることから、裏面シート３２０側からの光が裏面シート３２０を透過して透かし情報３５０まで達し、透かし情報３５０が裏面シート３２０に黒色で印刷され、かつ中間シート３３０が白色であることから、このコントラストの差により、中間シート３３０の裏面シート３２０との貼着面に印刷された透かし情報３５０が視認されることになる。
【００５１】
（第４の実施の形態）
図９は、本発明の偽造防止媒体となる偽造防止シートの第４の実施の形態を示す図であり、（ａ）は表面から見た図、（ｂ）は（ａ）に示したＡ−Ａ’断面図、（ｃ）は（ａ）に示した表面シート４１０の裏面の構造を示す図、（ｄ）は裏面から見た図である。なお、図９（ｂ）は、図９（ｄ）に示したＡ−Ａ’断面図でもある。
【００５２】
本形態は図９に示すように、第１のシートである裏面シート４２０と、第２のシートである表面シート４１０とが粘着剤４４０によって貼着されて構成されている。粘着剤４４０は、表面シート４１０と裏面シート４２０とを貼着した後にこれらを剥離しようとすると、表面シート４１０や裏面シート４２０において紙剥け等が生じる程度に粘着力が強いものであり、それにより、表面シート４１０と裏面シート４２０とが剥離不可能に貼着されている。
【００５３】
裏面シート４２０は、半透明や白色等の光透過性を有する材料からなり、表面シート４１０との貼着面には、透かし情報４５０ｂが黒色で印刷されている。これにより、表面シート４１０と裏面シート４２０との間に透かし情報４５０ｂが付与されている。また、透かし情報４５０ｂが印刷された面には、周縁部を除く全面に、透かし情報４５０ｂを覆うように、白色顔料を含むインクが印刷されてなる遮光構造となる白色遮光層４３０が設けられている。白色遮光層４３０を構成するために用いるインキの白色顔料としては、第１の実施の形態にて示したものと同様のものが用いられる。
【００５４】
表面シート４１０は、半透明や白色等の光透過性を有する材料からなり、その表面に、枠情報４１１が印刷されているとともに枠情報４１１によって囲まれる領域には、偽造防止シート４００毎に異なる個別情報４１２が印字されている。また、裏面シート４２０との貼着面には、透かし情報４５０ａが黒色で印刷されている。
【００５５】
上記のように構成された偽造防止シート４００においては、表面シート４１０側から観察した場合は、観察点と裏面シート４２０に印刷された透かし情報４５０ｂとの間に表面シート４１０及び白色遮光層４３０が介在する。ここで、表面シート４１０は光透過性を有するものであるものの、白色遮光層４３０は一方の面側からの光を遮るものであるため、表面シート４１０側からの光がこの白色遮光層４３０によって遮られ、裏面シート４２０に印刷された透かし情報４５０ｂは視認できない。また、表面シート４１０に印刷された透かし情報４５０ａについては、表面シート４１０が光透過性を有するものであることから、表面シート４１０側からの光が表面シート４１０を透過して透かし情報４５０ａまで達し、透かし情報４５０ａが表面シート４１０に黒色で印刷され、かつ裏面シート４２０に設けられた白色遮光層４３０が白色であることから、このコントラストの差により、表面シート４１０を介して視認されることになる。そして、表面シート４１０の表面に印刷された枠情報４１１及び個別情報４１２と、視認された透かし情報４５０ａとが組み合わされた情報が証明書情報として認識されることになる。
【００５６】
一方、裏面シート４２０側から観察した場合は、裏面シート４２０が光透過性を有するものであることから、裏面シート４２０側からの光が裏面シート４２０を透過して透かし情報４５０ｂまで達し、透かし情報４５０ｂが裏面シート４２０に黒色で印刷され、かつ白色遮光層４３０が白色であることから、このコントラストの差により、裏面シート４２０の表面シート４１０との貼着面に印刷された透かし情報４５０ｂが視認されることになる。この際、表面シート４１０に印刷された透かし情報４５０ａは、観察点と透かし情報４５０ａとの間に白色遮光層４３０が介在し、裏面シート４２０側からの光がこの白色遮光層４３０によって遮られるため、視認することができない。
【００５７】
このように、図９に示した偽造防止シート４００においては、裏面シート４２０の表面シート４１０との貼着面に設けられた白色遮光層４３０によって、表面シート４１０側から観察した場合に裏面シート４２０に印刷された透かし情報４５０ｂを視認不可能とし、また、裏面シート４２０側から観察した場合に表面シート４１０に印刷された透かし情報４５０ａを視認不可能とし、それにより、表面シート４１０側から観察した場合と裏面シート４２０側から観察した場合とで異なる情報を視認可能とすることができる。
【００５８】
なお、本形態においては、裏面シート４２０の表面シート４１０との貼着面のうち、周縁部を除く全面に白色遮光層４３０が設けられているが、白色遮光層４３０は、少なくとも透かし情報４５０ａ，４５０ｂに対向する領域のみに設けられていればよい。
【００５９】
また、上述した第１、第３及び第４の実施の形態にて裏面シート１２０，４２０や中間シート３３０に印刷される透かし情報１５０，４５０，３５０においては、文字に限らず、図形や地紋の他、多色刷りによる画像等であってもよい。ただし、多色刷りの場合でも、その透かし情報と遮光構造とは異なる色とする必要がある。
【００６０】
また、上述した４つの実施の形態においては、透かし情報１５０，３５０，４５０ａ，４５０ｂ及び証明書情報２５０が黒色で印刷され、かつ、遮光構造として白色顔料を含むインクが印刷されてなる白色遮光層１３０，２３０，４３０や白色の材料からなる中間シート３３０が設けられているものを例に挙げて説明したが、透かし情報１５０，３５０，４５０ａ，４５０ｂ及び証明書情報２５０の色と遮光構造の色とは互いに異なるものであればこれらの組み合わせに限らない。例えば、透かし情報１５０，３５０，４５０ａ，４５０ｂ及び証明書情報２５０を黒色で印刷し、遮光構造として灰色や肌色等といった淡い色のものを用いることもでき、またその逆に、透かし情報１５０，３５０，４５０ａ，４５０ｂ及び証明書情報２５０を白色等の淡い色で印刷し、遮光構造として黒色等の濃い色のものを用いることも考えられる。ただし、遮光構造として白色や淡い色を用いた方が、表面シート１１０，２１０，３１０，４１０側から観察した場合に、表面シート１１０，２１０，３１０，４１０が黒ずんでしまい、表面シート１１０，２１０，３１０，４１０の表面に印刷された証明書情報１１１，３１１や表題２１１、枠情報４１１が見にくくなってしまうことがないため好ましい。
【図面の簡単な説明】
【００６１】
【図１】本発明の偽造防止媒体となる偽造防止シートの第１の実施の形態を示す図であり、（ａ）は表面から見た図、（ｂ）は（ａ）に示したＡ−Ａ’断面図、（ｃ）は裏面から見た図である。
【図２】図１に示した偽造防止シートを表面シート側から観察した場合の作用を説明するための図であり、（ａ）は断面方向から見た図、（ｂ）は表面シート側からの見え方を示す図である。
【図３】図１に示した偽造防止シートを裏面シート側から観察した場合の作用を説明するための図であり、（ａ）は断面方向から見た図、（ｂ）は裏面シート側からの見え方を示す図である。
【図４】本発明の偽造防止媒体となる偽造防止シートの第２の実施の形態を示す図であり、（ａ）は表面から見た図、（ｂ）は（ａ）に示したＡ−Ａ’断面図、（ｃ）は裏面から見た図である。
【図５】図４に示した偽造防止シートが折り畳まれた状態における作用を説明するための図であり、（ａ）は断面方向から見た図、（ｂ）は第１紙片部側からの見え方を示す図、（ｃ）は第２紙片部側からの見え方を示す図である。
【図６】図４に示した偽造防止シートが見開かれた状態にて表面シート側から観察した場合の作用を説明するための図であり、（ａ）は断面方向から見た図、（ｂ）は表面シート側からの見え方を示す図である。
【図７】図４に示した偽造防止シートが見開かれた状態にて裏面シート側から観察した場合の作用を説明するための図であり、（ａ）は断面方向から見た図、（ｂ）は裏面シート側からの見え方を示す図である。
【図８】本発明の偽造防止媒体となる偽造防止シートの第３の実施の形態を示す図であり、（ａ）は表面から見た図、（ｂ）は（ａ）に示したＡ−Ａ’断面図、（ｃ）は裏面から見た図である。
【図９】本発明の偽造防止媒体となる偽造防止シートの第４の実施の形態を示す図であり、（ａ）は表面から見た図、（ｂ）は（ａ）に示したＡ−Ａ’断面図、（ｃ）は（ａ）に示した表面シートの裏面の構造を示す図、（ｄ）は裏面から見た図である。
【符号の説明】
【００６２】
１００，２００，３００，４００    偽造防止シート
１１０，２１０，３１０，４１０    表面シート
１１１，２５０    証明書情報
１２０，２２０，３２０，４２０    裏面シート
１３０，２３０，４３０    白色遮光層
１４０，２４０ａ，２４０ｂ，３４０ａ，３４０ｂ    粘着剤
１５０，３５０，４５０ａ，４５０ｂ    透かし情報
２０１    第１紙片部
２０２    第２紙片部
２０３    折り部
２１１    表題
３３０    中間シート
４１１    枠情報
４１２    個別情報
【図１】
2008055683.tif 000003
【図２】
2008055683.tif 000004
【図３】
2008055683.tif 000005
【図４】
2008055683.tif 000006
【図５】
2008055683.tif 000007
【図６】
2008055683.tif 000008
【図７】
2008055683.tif 000009
【図８】
2008055683.tif 000010
【図９】
2008055683.tif 000011